【手続補正書】
【提出日】平成25年12月27日(2013.12.27)
【手続補正１】
【補正対象書類名】特許請求の範囲
【補正対象項目名】全文
【補正方法】変更
【補正の内容】
【特許請求の範囲】
【請求項１】
被写体を撮像して動画像データを出力する撮像手段と、
前記撮像手段から出力される動画像データを記録する記録手段と、
前記撮像手段から出力される動画像データの特徴量の変動を検出する検出手段と、
前記検出手段により検出される特徴量の変動が所定の基準より小さい動画像データが所定時間以上継続して前記撮像手段から出力される撮影期間を第１期間とした場合に、前記第１期間内の一部の期間を第２期間として指定する指定手段と、
前記第１期間に前記撮像手段から出力された動画像データのうち、前記第２期間に前記撮像手段から出力された動画像データを、前記第１期間に対応する記録データとして前記記録手段に記録する記録制御手段と、
を有し、
前記記録制御手段は、前記記録手段に記録された前記第１期間に対応する記録データを再生する場合の再生時間を指定するための再生時間情報を、前記第１期間に対応する記録データに付加して前記記録手段に記録することを特徴とする動画記録装置。
【請求項２】
前記指定手段は、前記第２期間の先頭フレームの画像と前記第２期間の終了フレームの画像との特徴量の差分が所定値以下になるように、前記第２期間を指定する請求項１に記載の動画記録装置。
【請求項３】
前記再生時間情報により指定される、前記第１期間に対応する記録データの再生時間は、前記第２期間の長さより長い請求項１又は２に記載の動画記録装置。
【請求項４】
前記再生時間情報により指定される、前記第１期間に対応する記録データの再生時間は、前記第１期間の長さに等しい請求項１又は２に記載の動画記録装置。
【請求項５】
前記撮像手段により動画像データの出力が行われた撮影期間のうち前記第１期間以外の撮影期間を第３期間とした場合に、前記記録制御手段は、前記第３期間に前記撮像手段から出力された動画像データの全てを、前記第３期間に対応する記録データとして前記記録手段に記録するとともに、前記記録手段に記録された前記第３期間に対応する記録データを再生する場合の再生時間として、前記第３期間の長さに等しい再生時間を指定する再生時間情報を、前記第３期間に対応する記録データに付加して前記記録手段に記録する請求
項１から４のいずれか１項に記載の動画記録装置。
【請求項６】
前記検出手段は、動画像データの特徴量として、輝度、色温度、ＥＶ値、コントラスト、被写体の動き量の少なくとも一つの変動を検出する請求項１から５のいずれか１項に記載の動画記録装置。
【請求項７】
前記撮像手段により動画像データの出力が行われた撮影期間のうちに前記第１期間及び前記第３期間が複数あり、第１期間及び第３期間の各々に対応する記録データ及び再生時間情報が前記記録手段に記録される場合に、複数の記録データ及び再生時間情報を互いに関連付けて管理するための情報を生成する管理情報生成手段を有する請求項５又は６に記載の動画記録装置。
【請求項８】
請求項１から７のいずれか１項に記載の動画記録装置により記録された記録データを再生する動画再生装置であって、
前記動画記録装置により記録された記録データを取得し再生する動画像再生手段と、
前記動画記録装置により記録された記録データに付加された再生時間情報を取得する取得手段と、
前記取得手段が取得した再生時間情報に指定された前記記録データの再生時間が、その記録データの記録期間より長い場合、前記動画像再生手段に、その記録データを繰り返し再生させ、順方向の再生と逆方向の再生を交互に繰り返して再生させ、又はスロー再生させることにより、再生時間情報に指定された再生時間にわたって前記記録データの再生を行う再生制御手段と、
を有する動画再生装置。
【請求項９】
請求項１から７のいずれか１項に記載の動画記録装置と、前記動画記録装置により記録された記録データを再生する動画再生装置と、からなる動画記録再生システムであって、
前記動画再生装置は、
前記動画記録装置により記録された記録データを取得し再生する動画像再生手段と、
前記動画記録装置により記録された記録データに付加された再生時間情報を取得する取得手段と、
前記取得手段が取得した再生時間情報に指定された前記記録データの再生時間が、その記録データの記録期間より長い場合、前記動画像再生手段に、その記録データを繰り返し再生させ、順方向の再生と逆方向の再生を交互に繰り返して再生させ、又はスロー再生させることにより、再生時間情報に指定された再生時間にわたって前記記録データの再生を行う再生制御手段と、
を有することを特徴とする動画記録再生システム。
【請求項１０】
被写体を撮像する撮像手段から出力される動画像データの特徴量の変動を検出する検出工程と、
前記検出工程により検出される特徴量の変動が所定の基準より小さい動画像データが所定時間以上継続して前記撮像手段から出力される撮影期間を第１期間とした場合に、前記第１期間内の一部の期間を第２期間として指定する指定工程と、
前記第１期間に前記撮像手段から出力された動画像データのうち、前記第２期間に前記撮像手段から出力された動画像データを、前記第１期間に対応する記録データとして記録手段に記録する記録制御工程と、
を有し、
前記記録制御工程では、前記記録手段に記録された前記第１期間に対応する記録データを再生する場合の再生時間を指定するための再生時間情報を、前記第１期間に対応する記録データに付加して前記記録手段に記録することを特徴とする動画記録装置の制御方法。
【請求項１１】
前記指定工程では、前記第２期間の先頭フレームの画像と前記第２期間の終了フレームの画像との特徴量の差分が所定値以下になるように、前記第２期間を指定する請求項１０に記載の動画記録装置の制御方法。
【請求項１２】
前記再生時間情報により指定される、前記第１期間に対応する記録データの再生時間は、前記第２期間の長さより長い請求項１０又は１１に記載の動画記録装置の制御方法。
【請求項１３】
前記再生時間情報により指定される、前記第１期間に対応する記録データの再生時間は、前記第１期間の長さに等しい請求項１０又は１１に記載の動画記録装置の制御方法。
【請求項１４】
前記撮像手段により動画像データの出力が行われた撮影期間のうち前記第１期間以外の撮影期間を第３期間とした場合に、前記記録制御工程では、前記第３期間に前記撮像手段から出力された動画像データの全てを、前記第３期間に対応する記録データとして前記記録手段に記録するとともに、前記記録手段に記録された前記第３期間に対応する記録データを再生する場合の再生時間として、前記第３期間の長さに等しい再生時間を指定する再生時間情報を、前記第３期間に対応する記録データに付加して前記記録手段に記録する請求項１０から１３のいずれか１項に記載の動画記録装置の制御方法。
【請求項１５】
前記検出工程では、動画像データの特徴量として、輝度、色温度、ＥＶ値、コントラスト、被写体の動き量の少なくとも一つの変動を検出する請求項１０から１４のいずれか１項に記載の動画記録装置の制御方法。
【請求項１６】
前記撮像手段により動画像データの出力が行われた撮影期間のうちに前記第１期間及び前記第３期間が複数あり、第１期間及び第３期間の各々に対応する記録データ及び再生時間情報が前記記録手段に記録される場合に、複数の記録データ及び再生時間情報を互いに関連付けて管理するための情報を生成する管理情報生成工程を有する請求項１４又は１５に記載の動画記録装置の制御方法。
【請求項１７】
請求項１０から１６のいずれか１項に記載の動画記録装置の制御方法により記録された記録データを再生する動画再生装置の制御方法であって、
前記記録データを取得し再生する動画像再生工程と、
前記記録データに付加された再生時間情報を取得する取得工程と、
前記取得工程で取得した再生時間情報に指定された前記記録データの再生時間が、その記録データの記録期間より長い場合、前記動画像再生工程において、その記録データを繰り返し再生させ、順方向の再生と逆方向の再生を交互に繰り返して再生させ、又はスロー再生させることにより、再生時間情報に指定された再生時間にわたって前記記録データの再生を行う再生制御工程と、
を有する動画再生装置の制御方法。
【手続補正２】
【補正対象書類名】明細書
【補正対象項目名】０００９
【補正方法】変更
【補正の内容】
【０００９】
本発明は、被写体を撮像して動画像データを出力する撮像手段と、
前記撮像手段から出力される動画像データを記録する記録手段と、
前記撮像手段から出力される動画像データの特徴量の変動を検出する検出手段と、
前記検出手段により検出される特徴量の変動が所定の基準より小さい動画像データが所定時間以上継続して前記撮像手段から出力される撮影期間を第１期間とした場合に、前記
第１期間内の一部の期間を第２期間として指定する指定手段と、
前記第１期間に前記撮像手段から出力された動画像データのうち、前記第２期間に前記撮像手段から出力された動画像データを、前記第１期間に対応する記録データとして前記記録手段に記録する記録制御手段と、
を有し、
前記記録制御手段は、前記記録手段に記録された前記第１期間に対応する記録データを再生する場合の再生時間を指定するための再生時間情報を、前記第１期間に対応する記録データに付加して前記記録手段に記録することを特徴とする動画記録装置である。
【手続補正３】
【補正対象書類名】明細書
【補正対象項目名】００１０
【補正方法】変更
【補正の内容】
【００１０】
本発明は、被写体を撮像する撮像手段から出力される動画像データの特徴量の変動を検出する検出工程と、
前記検出工程により検出される特徴量の変動が所定の基準より小さい動画像データが所定時間以上継続して前記撮像手段から出力される撮影期間を第１期間とした場合に、前記第１期間内の一部の期間を第２期間として指定する指定工程と、
前記第１期間に前記撮像手段から出力された動画像データのうち、前記第２期間に前記撮像手段から出力された動画像データを、前記第１期間に対応する記録データとして記録手段に記録する記録制御工程と、
を有し、
前記記録制御工程では、前記記録手段に記録された前記第１期間に対応する記録データを再生する場合の再生時間を指定するための再生時間情報を、前記第１期間に対応する記録データに付加して前記記録手段に記録することを特徴とする動画記録装置の制御方法である。
【手続補正４】
【補正対象書類名】明細書
【補正対象項目名】００１５
【補正方法】変更
【補正の内容】
【００１５】
Ａ／Ｄ変換部１０２は、撮像部１０１からフレーム単位で順次出力された電気信号を増幅し、デジタル変換によって動画像データに変換する。
【手続補正５】
【補正対象書類名】明細書
【補正対象項目名】００１９
【補正方法】変更
【補正の内容】
【００１９】
区間指定部１０５は、一次記録バッファ１０４の動画像データのうち、特徴量の変動があると判断された撮影期間にＡ／Ｄ変換部１０２から出力された全ての動画像データを、一部区間データとして記録メディア１１０へ保存するよう指示する。すなわち、区間指定部１０５は、変動あり期間（第３期間）と判定された撮影期間（特徴量の変動が所定の基準以上と判定された撮影期間）の全部を記録期間として指定する。
【手続補正６】
【補正対象書類名】明細書
【補正対象項目名】００２０
【補正方法】変更
【補正の内容】
【００２０】
区間指定部１０５は、一次記録バッファ１０４の動画像データのうち、特徴量の変動がないと判断された撮影期間にＡ／Ｄ変換部１０２から出力された動画像データの一部の動画像データを、一部区間データとして記録メディア１１０へ保存するよう指示する。すなわち、区間指定部１０５は、変動なし期間（第１期間）と判定された撮影期間内（特徴量の変動が所定の基準より小さいと判定された撮影期間内）の一部の期間を記録期間として指定する。
区間指定部１０５による処理（一部区間データ指定処理）の詳細については後述する。
【手続補正７】
【補正対象書類名】明細書
【補正対象項目名】００２１
【補正方法】変更
【補正の内容】
【００２１】
再生時間生成部１０６は、変動判定部１０３から出力される画像変動情報に応じて、再生時間情報を生成する。再生時間情報とは、記録メディア１１０に記録された一部区間データを再生する再生装置に対し、その一部区間データを再生する場合の再生すべき時間を指定するための情報である。再生時間生成処理の詳細については後述する。
【手続補正８】
【補正対象書類名】明細書
【補正対象項目名】００２３
【補正方法】変更
【補正の内容】
【００２３】
制御部１０８は、記録メディア１１０に保存された一部区間データに、再生時間生成部１０６で生成された再生時間の情報を付加する。つまり、記録メディア１１０において、一部区間データとその再生時間情報とは関連付けられて保存される。また、制御部１０８は、操作部１０７からの指示に応じて、各種動作の実行を各処理部に指示したり、各処理部の動作の実行順序を制御したりする。
【手続補正９】
【補正対象書類名】明細書
【補正対象項目名】００２５
【補正方法】変更
【補正の内容】
【００２５】
管理テーブル生成部１１１は、複数の一部区間データ及び再生時間情報を、１つの長時間連続再生用の動画コンテンツを構成するデータとして関連づけて管理するための情報（管理テーブル）を生成する。再生装置は、この管理テーブルを参照することで、記録メディア１１０に保存された複数の一部区間データを、長時間の連続的な動画コンテンツとして再生することが可能となる。再生装置による複数の一部区間データの再生方法の詳細については後述する。
【手続補正１０】
【補正対象書類名】明細書
【補正対象項目名】００４２
【補正方法】変更
【補正の内容】
【００４２】
基準色温度からの変化量が所定変化量ＴＨより小さいことが、本発明における動画像データの特徴量の変動が所定の基準より小さいことに相当する。フレームＦ2sから、フレームＦ3sの直前のフレームＦ2eまでの時間（撮影時間）が所定継続時間Ｔｎ以上ならば、変動判定部１０３は、その撮影期間を変動なし期間（第１期間）と判定する。所定継続時間Ｔｎが、本発明における所定時間に相当する。
【手続補正１１】
【補正対象書類名】明細書
【補正対象項目名】００５１
【補正方法】変更
【補正の内容】
【００５１】
画像再生部２０４は、記録メディア２０３から一部区間データを取得し、デコードや画質調整等の処理を行って、画像信号として表示部２０５に出力する。なお、再生装置２００は表示部２０５を有する必要はなく、外部機器として接続される表示装置に対し映像信号を出力する構成でも良い。
【手続補正１２】
【補正対象書類名】明細書
【補正対象項目名】００５２
【補正方法】変更
【補正の内容】
【００５２】
再生制御部２０１は、記録メディア２０３から管理テーブルを取得し、一部区間データのファイル名、記録時間の情報、再生時間情報等を取得し、一部区間データの再生方法を画像再生部２０４に指示する。